(57)【要約】【課題】健康上の観点よりの半身浴と、少ない湯でも上半身を温められたらという課題に、浴槽内で手動で簡便に使用でき、浴槽内の湯を使えるグリップシャワーを提供する。【解決手段】本体ケース２ａに内包し、本体ケース開口部２ｂに一部露出している復元性のある圧縮自在の中空体５の下端には、吸上げ逆流止弁６ａと吸上げ逆流止弁フレーム６ｂから成る吸上げ逆流止弁ユニット６を設け、さらに、その吸上げ逆流止弁ユニット６の下端にはフィルター８とそれを取付けるフィルターキャップ９を設けている。中空体５の上端には、押出し逆流止弁４ａと押出し逆流止弁フレーム４ｂから成る押出し逆流止弁ユニット４を設け、その押出し逆流止弁ユニット４の上端と、シャワーケース１ａにシャワーヘッド取付ネジ１ｃで取付けられたシャワーヘッド１ｂから成るシャワーユニット１とがジョイント管３で接続した構造のものである。【選択図】  図１
2008302040.tif 000002
【特許請求の範囲】
【請求項１】
復元性のある圧縮自在の中空体には、一方の端に吸上げ逆流止弁ユニットと他方の端に押出し逆流止弁ユニットを設け、その押出し逆流止弁ユニットの端の押出し口にジョイント管を介してシャワーユニットを接続し、それ等を内包している本体ケースには、中空体を手動圧縮するための本体ケース開口部を設け、さらに本体ケース上方にシャワーヘッドを露出している浴槽内の湯を使うグリップシャワー。
【請求項２】
シャワーユニットを本体ケースの上方外部に配置し、本体ケース内の中空体の端の押出し逆流止弁ユニットの押出し口に伸長可能なジョイント管を設け、シャワーユニットに接続している請求項１記載の浴槽内の湯を使うグリップシャワー。
【発明の詳細な説明】
【技術分野】
【０００１】
本発明は、浴槽内の湯を復元性のある圧縮自在の中空装置を手動による圧縮から復元で浴槽の湯を吸上げ、圧縮することでシャワー状態で押出されるようにした浴槽内の湯を使うグリップシャワーに関するものである。
【背景技術】
【０００２】
本発明に関連する周知のバスシャワーは、洗髪したり、上がり湯に使うものであったり
、また、浴槽内の湯を使うものとしては、浴槽内の湯を汲み出して洗濯に使ったり、散水に使うためのものはあるが、本発明のような浴槽内の湯を浴槽内で上半身の保温のために使用するシャワーはない。
【発明の開示】
【発明が解決しようとする課題】
【０００３】
解決しようとする課題は、健康上の観点からの半身浴中に上半身を温められないかという願望と、浴槽内の少なくなった湯でも上半身を温められたら省エネに役立つのでないかという課題があった。
【０００４】
本発明はこのような課題に着目し、浴槽内で手動で簡便に使用でき、浴槽内の湯を循環して使える機構を持つ浴槽内の湯を使えるグリップシャワーを提供できるようになされたものである。
【課題を解決するための手段】
【０００５】
本発明は、復元性のある圧縮自在の中空体には、一方の端に吸上げ逆流止弁ユニットと他方の端に押出し逆流止弁ユニットを設け、その押出し逆流止弁ユニットの端の押出し口にジョイント管を介してシャワーユニットを接続し、それ等を内包している本体ケースには、中空体を手動圧縮するための本体ケース開口部を設け、さらに本体ケース上方にシャワーヘッドを露出している。
【０００６】
上記のような構成のもとで、第２の課題解決の手段は、シャワーユニットを本体ケースの上方外部に配置し、本体ケース内の中空体の端の押出し逆流止弁ユニットの押出し口に伸長可能なジョイント管を設け、シャワーユニットに接続している。
【０００７】
上記第1の課題解決の手段による作用は、本体ケースの下部を湯中に浸しながら、本体ケース開口部に露出している復元性のある圧縮自在の中空体を手動で圧縮し、復元により吸上げられた湯が吸上げ逆流止弁ユニットで止められ、再度、手動圧縮することで押出された湯がシャワーユニットに達するが、復元時に押出し逆流止弁ユニットで中空体に逆流することはなく、さらに手動圧縮、復元の繰り返しでシャワーヘッドから湯シャワーを飛び出させるようにしている。
【０００８】
第２の課題解決の手段による作用は、シャワーユニットと本体ケース内の中空体との間を伸長可能なジョイント管で接続することで、本体ケースの上方外部に接しているシャワーユニットを引き伸ばしができ、シャワーヘッド（シャワー噴射口）の高さの調整を可能にしている。
【発明の効果】
【０００９】
本発明の浴槽内の湯を使うグリップシャワーは、手動で浴槽内の湯を循環して使えるシャワーであるから、省エネで簡便に、半身浴や浴槽内の少な目の湯の時でも、上半身を温めることができる浴槽内の湯を使うグリップシャワーを提供できる。
【００１０】
さらに、シャワーユニットの高さを伸長できることから、好みに応じてシャワーの位置を変えられる機能をもつものである。
【発明を実施するための最良の形態】
【００１１】
以下、本発明の浴槽内の湯を使うグリップシャワーにおける実施の形態を図１〜図７に基づいて説明する。
【００１２】
（実施形態１）図１は、本発明の実施形態１の浴槽内の湯を使うグリップシャワーの図２の正面図のＡ−Ａ断面図で、内部構造を示したもので、図２は正面図、図３は底面図、図４は図２正面図のＢ−Ｂ断面図、図５は左側面図である。
【００１３】
本実施形態は、図１に示されるとおり、復元性のある素材の中空体５の下端部には、吸上げ逆流止弁６ａと吸上げ逆流止弁フレーム６ｂで構成している吸上げ逆流止弁ユニット６を備え、その下方にあたる中空体５の下端部にジョイント７を接続し、その下端部にフィルター８とそれを取り付けるフィルターキャップ９を設けている。中空体５の上端部には、押出し逆流止弁４ａと押出し逆流止弁フレーム４ｂで構成している押出し逆流止弁ユニット４を備え、その上方にあたる中空体５の上端部にジョイント管３を接続し、その上端部が、シャワーケース１ａにシャワーヘッド取付ネジ１ｃで取り付けられたシャワーヘッド１ｂを備えたシャワーユニット１に接続している。それ等の構成部品を内包しているケース本体２ａには、中空体５を手動で圧縮するための本体ケース開口部２ｂを設け、本体ケース２ａの上端部にはシャワーヘッド１ｂを露出する形態になっている。
【００１４】
また、吸上げ逆流止弁ユニット６の下端部にジョイント７を接続し、その下端部にフィルター８をはさみ込む状態でフィルターキャップ９を装着する形態になっている。
【００１５】
以下、上記構成の動作を説明する。本体ケース開口部２ｂに露出した中空体５を手動圧縮した状態で、本体ケース２ａの下部を湯中に浸し、復元時に吸上げた湯は、再度の圧縮では、吸上げ逆流止弁ユニット６で逆流することはなく中空体５内の湯はシャワーユニット１へ押出されるが、押出し逆流止弁ユニット４で逆流することなく、さらなる中空体５の手動圧縮で押出される湯圧でシャワーヘッド１ｂからシャワーとして放出される。
【００１６】
また、吸上げ逆流止弁ユニット６の下端にフィルター８を備えることで、浴槽湯内の浮遊物を濾過し、シャワーヘッド１ｂの目詰まりを防いでいる。
【００１７】
（実施形態２）図６は、本発明の実施形態２の浴槽内の湯を使うグリップシャワーの前部左側面図と図７の正面図のＣ−Ｃ断面図で、シャワーユニットの伸長状態の部分内部構造を示したものでり、図７は正面図である。
【００１８】
本実施形態は、図６に示されるとおり、シャワーユニット１１は本体ケース１２ａの上端外部に配置されており、本体ケース１２ａ内の中空体１５の上端部に押出し逆流止弁ユニット１４を備え、その上方にあたる中空体１５の上端部に伸長可能なジョイント管１３を接続し、その上端部にシャワーユニット１１を接続し、そのシャワーユニット１１はスライド管１１ｄを設けている。
【００１９】
以上、上記構成により、本体ケース１２ａの上端外部に配置しているシャワーユニット１１は伸長可能なジョイント管１３とスライド管１１ｄとで上方へ伸長することができ、シャワーの高さを調整することができる。
【図面の簡単な説明】
【００２０】
【図１】本発明の実施形態１の図２のＡ−Ａ断面図
【図２】本発明の実施形態１の正面図
【図３】本発明の実施形態１の底面図
【図４】本発明の実施形態１の図２のＢ−Ｂ断面図
【図５】本発明の実施形態１の左側面図
【図６】本発明の実施形態２の前部左側面図及び図７のＣ−Ｃシャワーユニット伸長状態の部分断面図
【図７】本発明の実施形態２の正面図
【符号の説明】
【００２１】
・  １１    シャワーユニット
１ａ、１１ａ  シャワーケース
１ｂ、１１ｂ  シャワーヘッド
１ｃ、１１ｃ  シャワーヘッド取付ネジ
１１ｄ  スライド管
２ａ、１２ａ  本体ケース
２ｂ、１２ｂ  本体ケース開口部
３、  １３    ジョイント管
４、  １４    押出し逆流止弁ユニット
４ａ、１４ａ  押出し逆流止弁
４ｂ、１４ｂ  押出し逆流止弁フレーム
５、  １５    中空体
６、  １６    吸上げ逆流止弁ユニット
６ａ、１６ａ  吸上げ逆流止弁
６ｂ、１６ｂ  吸上げ逆流止弁フレーム
７、  １７    ジョイント
・  １８    フィルター
・  １９    フィルターキャップ
【図１】
2008302040.tif 000003
【図２】
2008302040.tif 000004
【図３】
2008302040.tif 000005
【図４】
2008302040.tif 000006
【図５】
2008302040.tif 000007
【図６】
2008302040.tif 000008
【図７】
2008302040.tif 000009
【手続補正書】
【提出日】平成20年8月28日(2008.8.28)
【手続補正１】
【補正対象書類名】特許請求の範囲
【補正対象項目名】請求項１
【補正方法】変更
【補正の内容】
【請求項１】
復元性のある圧縮自在の中空体には、一方の端に吸上げ逆流止弁ユニットと他方の端に押出し逆流止弁ユニットを設け、その押出し逆流止弁ユニットの端の押出し口にジョイント管を介してシャワーユニットを接続し、それ等を内包している本体ケースには、中空体を手動圧縮するための本体ケース開口部を設け、さらに本体ケース上方にシャワーヘッドを露出し、本体ケース下端部は据置できる平面形態にしている浴槽内の湯を使うグリップシャワー。
【手続補正２】
【補正対象書類名】明細書
【補正対象項目名】０００２
【補正方法】変更
【補正の内容】
【０００２】
本発明に関連する周知のバスシャワーは、洗髪したり、上がり湯に使うものであったり
、また、浴槽内の湯を使うものとしては、浴槽内の湯を汲み出して洗濯に使ったり、散水に使うためのものはあるが、本発明のような浴槽内の湯を浴槽内で上半身の保温のために使用するシャワーはない。が、文献による半身浴用シャワーで、一本のフレキシブル管を首輪状にし、その上方中央部にシャワー孔と下方両端の各々にジャバラ式手動ポンプがあり、その両端ポンプに連結した吸水管を束ねて垂下したもので、首にかけ浴槽内で上半身
を保温するものがある（例えば、特許文献１参照。）。
【特許文献１】特開２００３−１２６２１１号公報
【手続補正３】
【補正対象書類名】明細書
【補正対象項目名】０００５
【補正方法】変更
【補正の内容】
【０００５】
本発明は、復元性のある圧縮自在の中空体には、一方の端に吸上げ逆流止弁ユニットと他方の端に押出し逆流止弁ユニットを設け、その押出し逆流止弁ユニットの端の押出し口にジョイント管を介してシャワーユニットを接続し、それ等を内包している本体ケースには、中空体を手動圧縮するための本体ケース開口部を設け、さらに本体ケース上方にシャワーヘッドを露出し、本体ケース下端部は据置できる平面形態にしている。
【手続補正４】
【補正対象書類名】明細書
【補正対象項目名】００１３
【補正方法】変更
【補正の内容】
【００１３】
本実施形態は、図１に示されるとおり、復元性のある素材の中空体５の下端部には、吸上げ逆流止弁６ａと吸上げ逆流止弁フレーム６ｂで構成している吸上げ逆流止弁ユニット６を備え、その下方にあたる中空体５の下端部にジョイント７を接続し、その下端部にフィルター８とそれを取り付けるフィルターキャップ９を設けている。中空体５の上端部には、押出し逆流止弁４ａと押出し逆流止弁フレーム４ｂで構成している押出し逆流止弁ユニット４を備え、その上方にあたる中空体５の上端部にジョイント管３を接続し、その上端部が、シャワーケース１ａにシャワーヘッド取付ネジ１ｃで取り付けられたシャワーヘッド１ｂを備えたシャワーユニット１に接続している。それ等の構成部品を内包している本体ケース２ａには、中空体５を手動で圧縮するための本体ケース開口部２ｂを設け、本体ケース２ａの上方にはシャワーヘッド１ｂを露出する形態に、本体ケース２ａの下端部
は据置できる平面形態になっている。
【手続補正５】
【補正対象書類名】明細書
【補正対象項目名】００１８
【補正方法】変更
【補正の内容】
【００１８】
本実施形態は、図６に示されるとおり、シャワーユニット１１は本体ケース１２ａの上
端外部に配置され、本体ケース１２ａの下端部は据置できる平面形態になっており、本体ケース１２ａ内の中空体１５の上端部に押出し逆流止弁ユニット１４を備え、その上方にあたる中空体１５の上端部に伸長可能なジョイント管１３を接続し、その上端部にシャワーユニット１１を接続し、そのシャワーユニット１１はスライド管１１ｄを設けている。
【手続補正６】
【補正対象書類名】明細書
【補正対象項目名】００２１
【補正方法】変更
【補正の内容】
【００２１】
１、  １１    シャワーユニット
１ａ、１１ａ  シャワーケース
１ｂ、１１ｂ  シャワーヘッド
１ｃ、１１ｃ  シャワーヘッド取付ネジ
１１ｄ  スライド管
２ａ、１２ａ  本体ケース
２ｂ、１２ｂ  本体ケース開口部
３、  １３    ジョイント管
４、  １４    押出し逆流止弁ユニット
４ａ、１４ａ  押出し逆流止弁
４ｂ、１４ｂ  押出し逆流止弁フレーム
５、  １５    中空体
６、  １６    吸上げ逆流止弁ユニット
６ａ、１６ａ  吸上げ逆流止弁
６ｂ、１６ｂ  吸上げ逆流止弁フレーム
７、  １７    ジョイント
８、  １８    フィルター
９、  １９    フィルターキャップ